(57)【要約】      （修正有）【課題】袋体の構造を簡素化し、形状を見通すことにより、より実用性の高い枕を提供する。【解決手段】矩形の枕１０において、４つの辺２２，２４，２６，２８の各々の中央部に枕の中心に向かって凹んだ凹部３０，３２，３４，３６を形成する。これにより、枕の中央部に頭部が載せられた場合には、袋体内の充填物が中央部から側部に流動し、枕の頭部が載せられた部分の高さが低くなる。一方、枕の側部に頭部が載せられた場合には、袋体内の充填物は側部から中央部に流動し難いため、枕の側部の高さが維持される。【選択図】図１
0003178843.tif 000002
【実用新案登録請求の範囲】
【請求項１】
内部に仕切りの無い単一の袋体に充填物が収容された矩形の枕であって、
４つの辺の各々の中央部に当該枕の中心に向かって凹んだ凹部が形成されたことを特徴とする枕。
【請求項２】
当該枕の内部に、硬さの異なる複数種類のウレタンチップが充填されていることを特徴とする請求項１に記載の枕。
【請求項３】
充填物を収容する袋体が、３層構造とされており、
中間の層が、弾力性のある素材により成形されていることを特徴とする請求項１または請求項２に記載の枕。
【請求項４】
４隅に切欠部が形成されたことを特徴とする請求項１ないし請求項３のいずれか１つに記載の枕。
【考案の詳細な説明】
【技術分野】
【０００１】
本考案は、袋体の内部に充填物が収容された枕に関する。
【背景技術】
【０００２】
枕は、睡眠時等に頭部および頸椎を支持するものであり、頭部および頸椎を適切に支持することが求められている。このため、下記特許文献に記載されている枕では、袋体の内部に仕切りが形成され、その仕切りによって、袋体の内部での充填物の過度の流動が抑制されている。これにより、枕の頭部および頸椎を支持する部分の高さを調整することが可能となり、頭部および頸椎を適切に支持することが可能となる。
【先行技術文献】
【特許文献】
【０００３】
【特許文献１】実用新案登録第３１４１９６８号公報
【特許文献２】実用新案登録第３１５６７９９号公報
【特許文献３】特開２００１−１７８６０６号公報
【特許文献４】特開２００２−２８２１０８号公報
【特許文献５】特開２００３−３１９８６０号公報
【考案の概要】
【考案が解決しようとする課題】
【０００４】
袋体の内部に仕切りが形成された枕によれば、充填物の過度の流動を抑制することで、枕の頭部および頸椎を支持する部分の高さを調整することが可能となっている。しかしながら、袋体の内部に仕切りを形成することで、袋体の構造が複雑となり、製造工程等が増加する。また、袋体の内部に充填物を収容する際には、袋体内部の仕切りにより、充填物を収容し難くなる。さらに言えば、仕切りによって袋体の内部が複数の部分に区画されている場合には、それら複数の部分の各々に充填物を収容するための投入口を形成する必要がある。このように、頭部および頸椎を適切に支持するための工夫を凝らした枕には、改良の余地が多分に残されており、種々の改良を施すことで枕の実用性を向上させることが可能となる。本考案は、そのような実情に鑑みてなされたものであり、実用性の高い枕を提供することを課題とする。
【課題を解決するための手段】
【０００５】
上記課題を解決するために、本考案の請求項１に記載の枕は、内部に仕切りの無い単一の袋体に充填物が収容された矩形の枕であって、４つの辺の各々の中央部に当該枕の中心に向かって凹んだ凹部が形成されたことを特徴とする。
【０００６】
また、請求項２に記載の枕は、請求項１に記載の枕において、当該枕の内部に、硬さの異なる複数種類のウレタンチップが充填されていることを特徴とする。
【０００７】
また、請求項３に記載の枕は、請求項１または請求項２に記載の枕において、充填物を収容する袋体が、３層構造とされており、中間の層が、弾力性のある素材により成形されていることを特徴とする。
【０００８】
また、請求項４に記載の枕は、請求項１ないし請求項３のいずれか１つに記載の枕において、４隅に切欠部が形成されたことを特徴とする。
【考案の効果】
【０００９】
請求項１に記載の枕では、枕の４つの辺の各々に中心に向かって凹んだ部分が形成されている。つまり、枕の両側と上下の４つの辺にくぼみが形成されている。枕の袋体に収容された充填物は、袋体の内部に仕切りがないため、枕内部の断面積の狭い部分から広い部分に流れ易い傾向にある。このため、使用者が枕の平面視中央部に頭部を載せた場合には、枕の充填物は、枕の上下の辺に形成された凹部によって、枕の中央部から側部に向かって流動し易くなっている。これにより、枕の頭部が載せられた部分の高さをある程度低くすることが可能となる。また、充填物は、枕内部の断面積の広い部分から狭い部分に流れ難い傾向にあるため、使用者が枕の平面視側部に頭部を載せた場合には、充填物は、枕の上下の辺に形成された凹部によって、枕の側部から中央部に向かって流動し難くなっている。これにより、枕の側部の高さを維持することが可能となる。このように、請求項１に記載の枕によれば、枕の使用者が枕のいずれの部分に頭部を載置しても、適切な枕の高さを確保することが可能となる。また、枕の側部に流動した充填物は、枕の側辺に形成された凹部により、枕の側端にまで流動し難くなっている。このため、枕の側部の高さは、側端に向かうほど徐々に低くなる。つまり、枕側部の側端に向かう傾斜は緩やかな傾斜となる。これにより、寝返り等により、枕から頭部が落下した場合であっても、落下の衝撃を低くすることが可能となる。
【００１０】
また、請求項２に記載の枕では、充填物が、硬さの異なる複数種類のウレタンチップとされている。袋体の内部において、充填物は、硬いものほど流動し易く、柔らかいものほど流動し難い。このため、請求項２に記載の枕では、硬度の高いウレタンチップと硬度の低いウレタンチップとの比率を調整することで、適度な流動性を確保することが可能となる。具体的には、例えば、枕の高さをある程度高くしたい場合には、充填物の収容量を多くするとともに、硬度の高いウレタンチップの比率を高くする。これにより、枕の高さを高くするとともに、充填物の流動性を高くすることが可能となり、適切な枕の高さを確保することが可能となる。一方、枕の高さをある程度低くしたい場合には、充填物の収容量を少なくするとともに、硬度の低いウレタンチップの比率を高くする。これにより、枕の高さを低くするとともに、充填物の流動性を低くすることが可能となり、適切な枕の高さを維持することが可能となる。
【００１１】
また、請求項３に記載の枕では、充填物を収容する袋体が３層構造とされており、中間の層が、弾力性のある素材により成形されている。充填物としては、種々の物を採用することが可能であるが、ウレタンチップは、クッション性，通気性等の観点から充填物として採用されることが多い。しかしながら、ウレタンチップは、ウレタンフォームを粉砕したものであり、不定形である。このため、ウレタンチップの表面はでこぼこしており、枕の使用者が違和感を抱く虞がある。さらに言えば、充填物が、硬さの異なる複数種類のウレタンチップとされている場合、つまり、硬いウレタンチップと柔らかいウレタンチップとが袋体に収容されてている場合には、それらの硬度差によって、枕の使用者が違和感を抱く虞がある。そこで、請求項３に記載の枕では、３層構造の袋体を採用し、弾力性のある素材によって、中間の層が成形されている。これにより、弾力性のある中間層によって、ウレタンチップを覆うことが可能となり、枕の快適な触感を確保することが可能となる。
【００１２】
また、請求項４に記載の枕では、４隅に切欠部が形成されている。これにより、枕の隅への充填物の流動を防止することが可能となり、枕の頭部を支持する部分からの充填物の無駄な流出を抑制することが可能となる。
【図面の簡単な説明】
【００１３】
【図１】本考案の実施例の枕の平面図である。
【図２】図１に示すＡＡ線における断面図である。
【図３】図１に示すＢＢ線における断面図である。
【図４】図１に示すＣＣ線における断面図である。
【図５】図１に示す枕の袋体の断面図である。
【図６】比較例の枕の平面図である。
【図７】比較例の枕の断面図である。
【考案を実施するための形態】
【００１４】
以下、本考案を実施するための形態として、本考案の実施例を、図を参照しつつ詳しく説明する。
【００１５】
図１に、本考案の実施例の枕１０を示す。枕１０は、概して矩形の袋状とされた袋体２０を備えている。その袋体２０の内部には、仕切りが形成されておらず、充填物が収容されている。その袋体２０の内部に充填物が収容された枕１０では、使用者の頸椎および頭部を支持するとともに、使用者の寝返り時に側頭部を支持することが可能となっている。以下に、枕１０を上方からの視点において示した図１および，その図１の断面図である図２乃至図４を用いて、枕１０の構造を詳しく説明する。なお、本明細書では、図１における左右方向を幅方向と、図１における上下方向を奥行き方向と、それら幅方向および奥行き方向に垂直な方向を高さ方向と称し、説明を行う。
【００１６】
枕１０を構成する袋体２０は、概して矩形とされており、４つの辺において縫着され、中央部に空間を有する袋状とされている。それら４つの辺は、幅方向の両端に位置する１対の短辺２２，２４と、奥行き方向の両端に位置する１対の長辺２６，２８とに区分けすることが可能である。それら４つの辺２２，２４，２６，２８の中央部には、枕１０の中心に向かって凹んだ凹部３０，３２，３４，３６が形成されている。各凹部３０，３２，３４，３６は、緩やかな曲線状の窪みとされており、各凹部３０，３２，３４，３６を区別する際には、短辺２２，２４に形成された凹部３０，３２を第１凹部３０，３２と、長辺２６，２８に形成された凹部３４，３６を第２凹部３４，３６と呼ぶ場合がある。
【００１７】
また、袋体２０の４隅には、切欠部３８，４０，４２，４４が形成されており、袋体２０の４隅は、ゆるやかな曲線状とされている。それら切欠部３８，４０，４２，４４は、凹部３０，３２，３４，３６に連続しており、切欠部３８，４０，４２，４４と凹部３０，３２，３４，３６とによって、袋体２０の縁部が構成されている。その縁部には、開閉可能なファスナー（図示省略）が取り付けられており、そのファスナーを介して、充填物が収容されている。
【００１８】
充填物としては、図２乃至図４に示すように、２種類のウレタンチップ５０，５２が採用されている。ウレタンチップ５０は、ウレタンフォームを粉砕したものであり、３〜４０ｍｍの大きさとされている。また、ウレタンチップ５２は、ウレタンチップ５０のウレタンフォームよりも硬度の高いウレタンフォームを粉砕したものであり、３〜４０ｍｍの大きさとされている。つまり、袋体２０には、硬度の異なる２種類のウレタンチップ５２が収容されている。なお、図では、ウレタンチップ５０は、ウレタンチップ５２より大きく示されているが、ウレタンチップ５０とウレタンチップ５２とを区別するために、各ウレタンチップ５０，５２の大きさを変えて図示しているに過ぎず、実物のウレタンチップ５０が、実物のウレタンチップ５２より大きいわけではない。
【００１９】
また、袋体２０は、図５に示すように、表布６０と、裏布６２と、それら表布６０と裏布６２との間に挟まれた綿６４とによって構成されており、それらが指し縫いされている。つまり、袋体２０は、３層構造のキルティングとされている。
【００２０】
上述した構造によって、枕１０では、使用者の頭部が枕１０の中央部に載せられた場合には、ウレタンチップ５０，５２が、枕１０の中央部から側部に向かって流動し、枕１０の頭部を支持する部分の高さをある程度低くすることが可能となっている。また、寝返り時に側頭部が枕１０の側部に載せられた場合には、ウレタンチップ５０，５２が、枕１０の側部から中央部に向かって流動し難くなっており、枕１０の側部の高さを維持することが可能となっている。
【００２１】
詳しく説明すれば、長辺２６，２８に第２凹部３４，３６が形成されているため、図１に示すように、枕１０の奥行き方向の長さは、幅方向での中央部において短く、幅方向の端部、つまり、枕１０の側部において長くなっている。このため、枕１０の奥行き方向に延びる鉛直面を断面とした場合の断面積は、図３と図４とを比較して解るように、枕１０の中央部において小さく、枕１０の側部において大きくなっている。ウレタンチップ５０，５２は、袋体２０の内部に非接着とされており、枕１０内部の断面積の小さい部分から大きい部分に流れ易い傾向にある。このため、使用者の頭部が枕１０の中央部に載せられた場合には、ウレタンチップ５０，５２は、枕１０の中央部から側部に向かって流動する。これにより、図２に示すように、枕１０の頭部を支持する部分の高さがある程度低くなり、頭部を適切に支持することが可能となる。
【００２２】
一方で、寝返り時に使用者の側頭部が枕１０の側部に載せられた場合には、ウレタンチップ５０，５２は、枕１０内部の断面積の大きい部分から小さい部分に流れ難い傾向にあるため、枕１０の側部から中央部に向かって流動し難い。これにより、寝返り時において側頭部を支持する枕１０の側部の高さをある程度維持することが可能となる。このように、枕１０のいずれの部分において頭部を支持する場合であっても、適切な枕の高さを確保することが可能となっている。
【００２３】
また、短辺２２，２４に第１凹部３０，３２が形成されているため、図１に示すように、枕１０の幅方向の長さは、奥行き方向での中央部において短く、奥行き方向の端部、つまり、枕１０の上部および下部において長くなっている。このため、枕１０の幅方向に延びる鉛直面を断面とした場合の断面積は、枕１０の中央部において小さく、枕１０の上部および下部において大きくなっている。したがって、寝返り時に側頭部が枕１０の側部に載せられた場合には、ウレタンチップ５０，５２が、枕１０の中央部から上部および下部に向かって流動し、図３に示すように、枕１０の中央部の高さがある程度低くなる。この部分には、寝返り時において、頬骨，鼻，耳等が接触することが多く、その部分がある程度低くなることで、寝返り時の違和感を低減することが可能となる。
【００２４】
また、図２に示すように、枕１０側部の端に向かう傾斜は、短辺２２，２４に形成された第１凹部３０，３２により、緩やかな傾斜とされており、寝返り等により、頭部が枕から落下した場合の衝撃を低くすることが可能となっている。詳しくは、枕１０の側部に流動したウレタンチップ５０，５２は、短辺２２，２４に形成された第１凹部３０，３２により、枕の端にまで流動し難くなっている。このため、枕１０の側部の高さは、端に向かうほど徐々に低くなっており、枕１０の側部に向かう傾斜は緩やかな傾斜となっている。
【００２５】
一方で、図６に示すような短辺に凹部が形成されていない枕７０について考えてみる。枕７０では、短辺、つまり、枕７０の側端に凹部が形成されていないため、枕７０の側部に流動したウレタンチップ７２は、枕７０の端にまで流動する。このため、枕１０の側部の高さは、図７に示すように、端において急に低くなっている。つまり、枕１０の側部に向かう傾斜は急な傾斜となっている。このような急な傾斜の側部から、寝返り等により頭部が落下した場合には、頭部に衝撃が生じる虞がある。しかしながら、枕１０では、短辺２２，２４に第１凹部３０，３２が形成されることで、枕１０の側部に向かう傾斜は緩やかな傾斜となっており、枕１０から頭部が落下した場合であっても、落下の衝撃を低くすることが可能となっている。
【００２６】
また、枕１０の４隅には、切欠部３８，４０，４２，４４が形成されていることにより、枕１０の隅へのウレタンチップ５０，５２の流動を防止することが可能となる。これにより、枕１０の頭部を支持する部分からのウレタンチップ５０，５２の無駄な流出を抑制することが可能となる。
【００２７】
また、枕１０には、硬度の異なる２種類のウレタンチップ５０，５２が収容されている。袋体２０の内部において、充填物は、通常、硬いものほど流動し易く、柔らかいものほど流動し難くなっている。このため、ウレタンチップ５２は、袋体２０の内部で流動し易く、ウレタンチップ５０は、袋体２０の内部で流動し難くなっている。これにより、ウレタンチップ５０とウレタンチップ５２との比率を調整することで、適度な流動性を確保することが可能となる。具体的には、例えば、枕１０の高さをある程度高くしたい場合には、ウレタンチップ５０，５２の収容量を多くするとともに、ウレタンチップ５２の比率を高くする。これにより、枕１０の高さを高くするとともに、充填物の流動性を高くすることが可能となる。一方、枕１０の高さをある程度低くしたい場合には、ウレタンチップ５０，５２の収容量を少なくするとともに、ウレタンチップ５０の比率を高くする。これにより、枕１０の高さを低くするとともに、充填物の流動性を低くすることが可能となる。ちなみに、比較例の枕７０では、１種類のウレタンチップ７２しか収容されていないため、流動性の調整を行うことはできない。
【００２８】
なお、枕１０へのウレタンチップ５０，５２の収容量としては、枕１０の高さによってある程度変更されるが、限界収容量の６０〜８５％であることが望ましい。ここで、限界収容量とは、枕１０のファスナー開口部から圧縮して収容し得る最大のウレタンチップ５０，５２の量である。つまり、枕１０にウレタンチップ５０，５２を収容する際には、ウレタンチップ５０，５２を枕１０に限界まで収容し、その限界まで収容された枕１０から収容量の１５〜４０％を取り出すことで、枕１０に適切な量のウレタンチップ５０，５２を収容することができる。
【００２９】
具体的には、限界収容量として１４００ｇのウレタンチップ５０，５２を枕１０に収容し、普通の高さの枕（例えば、男性向けの枕）としたい場合には、枕１０へのウレタンチップ５０，５２の収容量が１０００〜１２００ｇとなるように、ウレタンチップ５０，５２を枕１０から取り出す。つまり、普通の高さの枕（例えば、男性向けの枕）としたい場合のウレタンチップ５０，５２の収容量は、限界収容量の７０〜８５％であることが望ましい。また、普通の高さより低い枕（例えば、女性向けの枕）としたい場合には、枕１０へのウレタンチップ５０，５２の収容量が８５０〜１０５０ｇとなるように、ウレタンチップ５０，５２を枕１０から取り出す。つまり、普通の高さより低い枕（例えば、女性向けの枕）としたい場合のウレタンチップ５０，５２の収容量は、限界収容量の６０〜７５％であることが望ましい。
【００３０】
また、ウレタンチップ５０，５２は、ウレタンフォームを粉砕したものであり、不定形である。このため、ウレタンチップ５０，５２の表面はでこぼこしており、枕の使用者が違和感を抱く虞がある。また、硬いウレタンチップ５２と柔らかいウレタンチップ５０とが袋体２０に収容されているため、それらの硬度差によって、枕の使用者が違和感を抱く虞がある。そこで、枕１０の袋体２０は、３層構造のキルティングとされており、中間の層が、弾力性のある素材、具体的には、綿６４により成形されている。これにより、ウレタンチップ５０，５２が中間層の綿６４によって覆われることで、枕の快適な触感を確保することが可能となる。
【００３１】
ちなみに、上記実施例において、枕１０は、枕の一例であり、枕１０を構成する袋体２０、ウレタンチップ５０，５２は、袋体、ウレタンチップの一例である。また、袋体２０に形成された凹部３０，３２，３４，３６、切欠部３８，４０，４２，４４は、凹部、切欠部の一例である。
【００３２】
なお、本考案は、上記実施例に限定されるものではなく、当業者の知識に基づいて種々の変更、改良を施した種々の態様で実施することができる。具体的には、例えば、上記実施例では、袋体２０に硬度の異なる２種類のウレタンチップ５０，５２が収容されているが、硬度の異なる３種類以上のウレタンチップを収容してもよい。また、充填物として、ウレタンフォームなどの樹脂発泡体の他に、裁断された不織布またはフェルト，つぶ綿などの繊維状多孔体や、裁断された樹脂フィルムなどを採用することが可能である。
【００３３】
また、例えば、上記実施例では、袋体２０の中間層に用いられる弾力性のある素材として、綿が採用されているが、種々の素材を採用することが可能である。具体的には、ウレタンフォーム等の発泡体等を採用することが可能である。
【符号の説明】
【００３４】
１０：枕
２０：袋体
３０，３２，３４，３６：凹部
３８，４０，４２，４４：切欠部
５０，５２：ウレタンチップ
【図１】
0003178843.tif 000003
【図２】
0003178843.tif 000004
【図３】
0003178843.tif 000005
【図４】
0003178843.tif 000006
【図５】
0003178843.tif 000007
【図６】
0003178843.tif 000008
【図７】
0003178843.tif 000009